(57)【要約】【課題】一例として、リストに登録された複数の番組の各々が視聴済の番組であるかまたは未視聴の番組であるかを一見して確認することが可能な方法を提供する。【解決手段】実施形態による方法は、一例として、複数の番組を含む第１リストを取得し、第１リストに含まれる複数の番組の各々が視聴済かまたは未視聴かを識別可能な情報を取得し、第１リストに含まれる複数の番組と、各々の番組が視聴済かまたは未視聴かを識別可能な情報とを、ディスプレイに同時に表示する。【選択図】図７
2015115703.tif 000002
【特許請求の範囲】
【請求項１】
複数の番組を含む第１リストを取得し、
前記第１リストに含まれる複数の番組の各々が視聴済かまたは未視聴かを識別可能な情報を取得し、
前記第１リストに含まれる複数の番組と、各々の番組が視聴済かまたは未視聴かを識別可能な情報とを、ディスプレイに同時に表示する、方法。
【請求項２】
前記第１リストに含まれる複数の番組のうち一部が未視聴である場合であって、前記第１リストに含まれる未視聴の番組の数または割合が閾値よりも小さい場合、前記第１リストに含まれる未視聴の番組を、ユーザへ、おすすめとして前記ディスプレイに表示する、請求項１に記載の方法。
【請求項３】
前記第１リストに含まれる複数の番組と、各々の番組が視聴済かまたは未視聴かを識別可能な情報とに加えて、視聴済の番組がどのような視聴形態で視聴されたかを識別可能な情報をも、前記ディスプレイに同時に表示する、請求項１または２に記載の方法。
【請求項４】
前記第１リストに含まれる複数の番組の全てが視聴済である場合に、前記第１リストに関するメッセージを前記ディスプレイに表示する、請求項１〜３のいずれか１項に記載の方法。
【請求項５】
前記第１リストに含まれる未視聴の番組が、前記第１リストとは異なる放送番組表の中に存在する場合に、前記放送番組表に含まれる複数の番組のうち、前記第１リストに含まれる未視聴の番組と、それ以外の番組とを少なくとも識別可能な表示態様で前記ディスプレイに表示する、請求項１〜４のいずれか１項に記載の方法。
【請求項６】
複数の番組を含む第１リストを取得し、前記第１リストに含まれる複数の番組の各々が視聴済かまたは未視聴かを識別可能な情報を取得するプロセッサと、
前記第１リストに含まれる複数の番組と、各々の番組が視聴済かまたは未視聴かを識別可能な情報とを、ディスプレイに同時に表示する表示制御部とを備える、電子機器。
【請求項７】
前記表示制御部は、前記第１リストに含まれる複数の番組のうち一部が未視聴である場合であって、前記第１リストに含まれる未視聴の番組の数または割合が閾値よりも小さい場合、前記第１リストに含まれる未視聴の番組を、ユーザへ、おすすめとして前記ディスプレイに表示する、請求項６に記載の電子機器。
【請求項８】
前記表示制御部は、前記第１リストに含まれる複数の番組と、各々の番組が視聴済かまたは未視聴かを識別可能な情報とに加えて、視聴済の番組がどのような視聴形態で視聴されたかを識別可能な情報をも、前記ディスプレイに同時に表示する、請求項６または７に記載の電子機器。
【請求項９】
前記表示制御部は、前記第１リストに含まれる複数の番組の全てが視聴済である場合に、前記第１リストに関するメッセージを前記ディスプレイに表示する、請求項６〜８のいずれか１項に記載の電子機器。
【請求項１０】
前記表示制御部は、前記第１リストに含まれる未視聴の番組が、前記第１リストとは異なる放送番組表の中に存在する場合に、前記放送番組表に含まれる複数の番組のうち、前記第１リストに含まれる未視聴の番組と、それ以外の番組とを少なくとも識別可能な表示態様で前記ディスプレイに表示する、請求項６〜９のいずれか１項に記載の電子機器。
【請求項１１】
複数の番組を含む第１リストを取得し、
前記第１リストに含まれる複数の番組の各々が視聴済かまたは未視聴かを識別可能な情報を取得し、
前記第１リストに含まれる複数の番組と、各々の番組が視聴済かまたは未視聴かを識別可能な情報とを、ディスプレイに同時に表示する、ことをコンピュータに実行させるためのプログラム。
【請求項１２】
前記第１リストに含まれる複数の番組のうち一部が未視聴である場合であって、前記第１リストに含まれる未視聴の番組の数または割合が閾値よりも小さい場合、前記第１リストに含まれる未視聴の番組を、ユーザへ、おすすめとして前記ディスプレイに表示する、ことを前記コンピュータに実行させるための請求項１１に記載のプログラム。
【請求項１３】
前記第１リストに含まれる複数の番組と、各々の番組が視聴済かまたは未視聴かを識別可能な情報とに加えて、視聴済の番組がどのような視聴形態で視聴されたかを識別可能な情報をも、前記ディスプレイに同時に表示する、ことを前記コンピュータに実行させるための請求項１１または１２に記載のプログラム。
【請求項１４】
前記第１リストに含まれる複数の番組の全てが視聴済である場合に、前記第１リストに関するメッセージを前記ディスプレイに表示する、ことを前記コンピュータに実行させるための請求項１１〜１３のいずれか１項に記載のプログラム。
【請求項１５】
前記第１リストに含まれる未視聴の番組が、前記第１リストとは異なる放送番組表の中に存在する場合に、前記放送番組表に含まれる複数の番組のうち、前記第１リストに含まれる未視聴の番組と、それ以外の番組とを少なくとも識別可能な表示態様で前記ディスプレイに表示する、ことを前記コンピュータに実行させるための請求項１１〜１４のいずれか１項に記載のプログラム。
【発明の詳細な説明】
【技術分野】
【０００１】
本発明の実施形態は、方法、電子機器およびプログラムに関する。
【背景技術】
【０００２】
従来、互いに関連する複数の関連番組を１つのリストとして表示する技術が知られている。関連番組としては、たとえば、１つのシリーズとして放送される連続番組などが挙げられる。
【先行技術文献】
【特許文献】
【０００３】
【特許文献１】特開２０１３−１４１３０７号公報
【発明の概要】
【発明が解決しようとする課題】
【０００４】
上記のような技術では、一例として、リストに登録された複数の番組の各々が視聴済の番組であるかまたは未視聴の番組であるかを一見して確認することができれば望ましい。
【課題を解決するための手段】
【０００５】
実施形態による方法は、一例として、複数の番組を含む第１リストを取得し、第１リストに含まれる複数の番組の各々が視聴済かまたは未視聴かを識別可能な情報を取得し、第１リストに含まれる複数の番組と、各々の番組が視聴済かまたは未視聴かを識別可能な情報とを、ディスプレイに同時に表示する。
【図面の簡単な説明】
【０００６】
【図１】図１は、実施形態よるテレビジョン装置を含む番組推薦システムの全体構成を示した例示ブロック図である。
【図２】図２は、実施形態による番組推薦システムにおいて用いられる関連番組リストを示した例示図である。
【図３】図３は、実施形態によるテレビジョン装置の内部構成を示した例示ブロック図である。
【図４】図４は、実施形態によるテレビジョン装置の制御部の機能的構成を示した例示ブロック図である。
【図５】図５は、実施形態によるテレビジョン装置に表示されるホーム画面を示した例示図である。
【図６】図６は、実施形態によるテレビジョン装置に表示されるマイページ画面を示した例示図である。
【図７】図７は、実施形態によるテレビジョン装置に表示される関連番組リストおよびチェックリストを示した例示図である。
【図８】図８は、実施形態によるテレビジョン装置に表示される関連番組リスト、チェックリストおよびおすすめ情報を示した例示図である。
【図９】図９は、実施形態によるテレビジョン装置に表示される、チェックリストが所定の条件を満たす旨のメッセージを示した例示図である。
【図１０】図１０は、実施形態によるテレビジョン装置に表示される放送番組表を示した例示図である。
【図１１】図１１は、実施形態によるテレビジョン装置に関連番組リストおよびチェックリストが表示される際における番組推薦システム全体の処理の流れを示した例示シーケンス図である。
【図１２】図１２は、実施形態によるテレビジョン装置におすすめ情報が表示される際に実行される処理の流れを示した例示フローチャートである。
【図１３】図１３は、実施形態によるテレビジョン装置にチェックリストが所定の条件を満たす旨のメッセージが表示される際に実行される処理の流れを示した例示フローチャートである。
【発明を実施するための形態】
【０００７】
以下、実施形態を図面に基づいて説明する。
【０００８】
まず、図１〜図１０を参照して、実施形態によるテレビジョン装置１００を含む番組推薦システム１０００の構成の一例について説明する。テレビジョン装置１００は、「電子機器」の一例である。なお、以下に説明する技術は、テレビジョン装置１００以外の電子機器（録画再生装置や情報処理装置など）にも適用可能である。
【０００９】
図１に示すように、番組推薦システム１０００は、テレビジョン装置１００と、タブレット２００と、履歴収集サーバ３００と、関連番組リスト管理サーバ４００と、視聴履歴管理サーバ５００とを備える。これらは、インターネットなどのネットワーク６００を介して互いに接続されている。
【００１０】
実施形態によるテレビジョン装置１００は、放送番組のみならず、ネットワーク６００上のクラウドサーバなどの外部装置から提供されるプログラムやサービスなどを実行可能な、いわゆるスマートテレビである。また、タブレット２００も、テレビジョン装置１００と同様に、ネットワーク６００上のクラウドサーバなどの外部装置から提供されるプログラムやサービスなどを実行可能に構成されている。
【００１１】
履歴収集サーバ３００は、履歴ＤＢ（データベース）３０１と、番組情報ＤＢ３０２とを有する。履歴収集サーバ３００は、テレビジョン装置１００やタブレット２００からユーザの操作履歴を収集し、収集した操作履歴をユーザ別に履歴ＤＢ３０１に登録する。ここでいう操作履歴は、放送番組の放送番組の視聴予約を行う操作や、放送番組を生で（リアルタイムで）視聴する操作や、録画番組やＶＯＤ（Ｖｉｄｅｏ  Ｏｎ  Ｄｅｍａｎｄ）コンテンツを再生する操作などの、番組（またはコンテンツ）の視聴に関する操作の履歴を意味する。
【００１２】
履歴収集サーバ３００は、上記のように収集した操作履歴と、番組情報ＤＢ３０２とに基づいて、テレビジョン装置１００やタブレット２００のユーザが実際に視聴・再生を行った視聴済の番組を特定する。番組情報ＤＢ３０２には、種々の番組の情報が登録されている。なお、履歴収集サーバ３００は、視聴履歴管理サーバ５００からの要求に応じて、視聴済の番組のリストを視聴履歴管理サーバ５００に送信する。
【００１３】
関連番組リスト管理サーバ４００は、互いに関連する関連番組の一覧を示す関連番組リスト４０１（図２参照）を管理する。関連番組リスト４０１は、「第１リスト」の一例である。関連番組リスト管理サーバ４００は、視聴履歴管理サーバ５００からの要求に応じて関連番組リスト４０１を視聴履歴管理サーバ５００に送信する。
【００１４】
関連番組リスト４０１としては、１つのシリーズとして放送される連続番組の一覧や、制作会社や製作スタッフが共通する（あるいは関連する）番組の一覧などが挙げられる。関連番組リスト４０１は、コンテンツ事業者により提供されるものであってもよいし、ユーザが自分の好みに応じて設定したものであってもよい。これにより、統計処理などにより関連番組が抽出されてリスト化される場合と異なり、ユーザの好みに沿ったより精度の高い関連番組リスト４０１を提供することができる。なお、図２には、異なるリスト名を有する４つのリストにより構成された関連番組リスト４０１を示したが、関連番組リスト４０１は、これに限られるものではなく、１つのリストのみにより構成されていてもよい。
【００１５】
視聴履歴管理サーバ５００は、履歴収集サーバ３００から取得した視聴済の番組のリストと、関連番組リスト管理サーバ４００から取得した関連番組リスト４０１とを照合することにより、チェックリスト５０１を作成する。チェックリスト５０１とは、関連番組リスト４０１に登録された複数の番組の各々が視聴済であるか未視聴であるかを識別可能な情報（第１の情報）の一覧を示すものである。
【００１６】
実施形態では、チェックリスト５０１には、関連番組リスト４０１に登録された関連番組がどのような視聴形態で視聴されたかを示す情報も含まれている。視聴形態としては、生で（リアルタイム）で視聴する形態や、録画されたものを視聴する形態や、ＶＯＤコンテンツとして視聴する形態や、映画館で視聴する形態や、ＤＶＤ（Ｄｉｇｉｔａｌ  Ｖｅｒｓａｔｉｌｅ  Ｄｉｓｃ）などの記録メディアに記録されたものを視聴する形態や、ｗｅｂサイトにアップロードされたものを視聴する形態などが挙げられる。
【００１７】
次に、図３を参照して、テレビジョン装置１００の内部構成の一例について説明する。このテレビジョン装置１００は、録画再生機能や、ＶＯＤコンテンツを再生するコンテンツ再生機能などを有する。
【００１８】
図３に示すように、テレビジョン装置１００は、アンテナ１１２と、入力端子１１３と、チューナ１１４と、復調器１１５とを有している。アンテナ１１２は、デジタル放送の放送波を受信し、その放送波の放送信号を、入力端子１１３を介してチューナ１１４に供給する。
【００１９】
チューナ１１４は、入力されたデジタル放送の放送信号から所望のチャンネルの放送信号を選局する。チューナ１１４から出力された放送信号は、復調器１１５に供給される。復調器１１５は、放送信号に復調処理を施すことによりデジタル形式の映像信号および音声信号を生成し、後述するセレクタ１１６に供給する。
【００２０】
また、テレビジョン装置１００は入力端子１２１および１２３と、Ａ／Ｄ変換部１２２と、信号処理部１２４と、スピーカ１２５と、映像表示パネル１０２とを有している。なお、映像表示パネル１０２は、「ディスプレイ」の一例である。
【００２１】
入力端子１２１には、アナログ形式の映像信号および音声信号が外部から入力され、入力端子１２３には、デジタル形式の映像信号および音声信号が外部から入力される。Ａ／Ｄ変換部１２２は、入力端子１２１から供給されるアナログ形式の映像信号および音声信号をデジタル信号に変換し、セレクタ１１６に供給する。
【００２２】
セレクタ１１６は、復調器１１５、Ａ／Ｄ変換部１２２および入力端子１２３から供給される複数のデジタル信号から１つを選択し、信号処理部１２４に供給する。
【００２３】
信号処理部１２４は、入力された映像信号に対して所定の信号処理やスケーリング処理などを施し、処理後の映像信号を映像表示パネル１０２に供給する。また、信号処理部１２４は、入力されたデジタル形式の音声信号に対して所定の信号処理を施すことによりアナログ形式の音声信号に変換し、変換後の音声信号をスピーカ１２５に出力する。
【００２４】
さらに、信号処理部１２４は、映像表示パネル１０２を用いたＯＳＤ（Ｏｎ  Ｓｃｒｅｅｎ  Ｄｉｓｐｌａｙ）インターフェースを提供するためのＯＳＤ信号などを生成する。
【００２５】
スピーカ１２５は、信号処理部１２４から供給される音声信号に基づいて音声を出力する。
【００２６】
映像表示パネル１０２は、液晶ディスプレイやプラズマディスプレイなどのフラットパネルディスプレイから構成される。映像表示パネル１０２は、信号処理部１２４から供給される映像信号に基づいて映像を出力する。
【００２７】
さらに、テレビジョン装置１００は制御部１２７と、操作部１２８と、受光部１２９と、ＨＤＤ（Ｈａｒｄ  Ｄｉｓｋ  Ｄｒｉｖｅ）１３０と、メモリ１３１と、通信Ｉ／Ｆ１３２とを有している。
【００２８】
制御部１２７は、テレビジョン装置１００における種々の動作を統括的に制御する。制御部１２７は、ＣＰＵ（Ｃｅｎｔｒａｌ  Ｐｒｏｃｅｓｓｉｎｇ  Ｕｎｉｔ）等を内蔵したマイクロプロセッサである。制御部１２７には、操作部１２８からの操作情報が入力されるとともに、リモートコントローラ１５０からの操作情報が受光部１２９を介して入力される。制御部１２７は、これら操作部１２８およびリモートコントローラ１５０からの操作情報にしたがってテレビジョン装置１００の各部を制御する。
【００２９】
制御部１２７は、上記のような制御を行う際に、メモリ１３１を使用する。メモリ１３１は、主として、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、不揮発性メモリとを有している。ＲＯＭには、制御部１２７に内蔵されたＣＰＵにより実行される種々の制御プログラムが格納される。ＲＡＭは、ＣＰＵの作業エリアとして使用される。不揮発性メモリには、種々の設定情報や制御情報などが格納される。なお、ＲＯＭに格納される制御プログラムとしては、たとえば、関連番組リスト４０１およびチェックリスト５０１を同時に映像表示パネル１０２に表示させたり（後述する図７参照）、関連番組リスト４０１およびチェックリスト５０１とともにおすすめ情報を映像表示パネル１０２に表示させたりする（後述する図８参照）ための表示制御プログラムなどが挙げられる。
【００３０】
ＨＤＤ１３０は、セレクタ１１６により選択されたデジタル形式の信号を記録する記憶部として機能する。ＨＤＤ１３０には、テレビジョン装置１００によって録画された録画データなどが記憶される。
【００３１】
通信Ｉ／Ｆ１３２は、ネットワーク６００に接続されている。これにより、テレビジョン装置１００は、通信Ｉ／Ｆ１３２を介して、ネットワーク６００上の通信装置（図１に示したような各種サーバなど）からプログラムやサービスなどの種々のデータを受信するほか、ユーザの操作履歴や視聴履歴などの種々の情報を送信することができる。
【００３２】
次に、図４を参照して、制御部１２７の機能的構成について説明する。
【００３３】
図４に示すように、制御部１２７は、入力制御部７０１と、取得部７０２と、表示制御部７０３と、検索部７０４と、監視部７０５とを主として備える。取得部７０２は、「プロセッサ」の一例である。
【００３４】
入力制御部７０１は、操作部１２８からのユーザの操作入力を受け付けるとともに、リモートコントローラ１５０からのユーザの操作入力を受光部１２９を介して受け付けるように構成されている。
【００３５】
取得部７０２は、ネットワーク６００上の通信サービスから種々のデータを取得するように構成されている。たとえば、取得部７０２は、視聴履歴管理サーバ５００からチェックリスト５０１を取得することが可能なように構成されている。
【００３６】
表示制御部７０３は、映像表示パネル１０２への各種情報の表示を制御するように構成されている。たとえば、表示制御部７０３は、図５および図６に示すようなクラウドメニューを映像表示パネル１０２に表示する制御を行うことが可能なように構成されている。ここで、クラウドメニューとは、テレビジョン装置１００で提供される種々のクラウドサービスをユーザに選択させるためのメニュー画面である。
【００３７】
クラウドメニューには、図５に示すようなホーム画面や、図６に示すようなユーザに固有のマイページ画面などがある。ここで、図６に示すマイページ画面には、おすすめ情報表示アプリを呼び出すためのボタン８０１が表示されている。おすすめ情報表示アプリとは、関連番組リスト４０１およびチェックリスト５０１を同時に映像表示パネル１０２に表示させたり（後述する図７参照）、関連番組リスト４０１およびチェックリスト５０１とともにおすすめ情報を映像表示パネル１０２に表示させたりする（後述する図８参照）ための上記表示制御プログラムに対応するアプリケーションプログラムである。
【００３８】
ここで、実施形態では、表示制御部７０３は、たとえば図７に示すように、関連番組リスト４０１およびチェックリスト５０１を映像表示パネル１０２に同時に表示することが可能なように構成されている。具体的には、表示制御部７０３は、関連番組リスト４０１およびチェックリスト５０１を、関連番組リスト４０１に登録された複数の関連番組の各々が視聴済の番組であるかまたは未視聴の番組であるかを識別可能な表示態様で映像表示パネル１０２に表示することが可能なように構成されている。図７に示した例では、チェックリスト５０１内の「○」のマークが視聴済の番組であることを示し、チェックリスト５０１内の「×」のマークが未視聴の番組であることを示している。
【００３９】
また、実施形態では、表示制御部７０３は、関連番組リスト４０１に含まれる複数の番組のうち一部が未視聴である場合であって、関連番組リスト４０１に含まれる未視聴の番組の数または割合が閾値よりも小さい場合に、関連番組リスト４０１に含まれる未視聴の番組を、ユーザへ、おすすめとして映像表示パネル１０２に表示するように構成されている。すなわち、検索部７０４は、未視聴の番組に関するおすすめ情報を検索するように構成されている。おすすめ情報とは、未視聴の番組の今後の放送予定や視聴方法などを示す情報である。そして、表示制御部７０３は、たとえば図８に示すように、検索部７０４による検索結果を、おすすめ情報として、関連番組リスト４０１およびチェックリスト５０１とともに映像表示パネル１０２に表示することが可能なように構成されている。図８に示した例では、おすすめ情報は、符号９０１の吹き出し内に表示されている。なお、検索部７０４の検索対象は、テレビジョン装置１００やホームネットワークやレコーダや外付けＨＤＤなどの各種ストレージ内に保存されたユーザ所有のコンテンツに限られるものではなく、ＶＯＤなどの有料コンテンツや、今後放送予定のあるコンテンツや、映画館での上映情報なども含まれる。
【００４０】
また、実施形態では、表示制御部７０３は、たとえば図７および図８に示すように、視聴済の番組がどのような視聴形態で視聴されたかを識別可能な情報（第２の情報）を関連番組リスト４０１およびチェックリスト５０１とともに表示部に表示するように構成されている。図７および図８に示した例では、視聴形態が、チェックリスト５０１内で「○」のマークまたは「×」のマークの横に表示された「Ｌｉｖｅ」、「録画」、「ＶＯＤ」、「映画館」、「ＤＶＤ」および「□□ＴＵＢＥ」という文字列によって表されている。
【００４１】
また、実施形態では、監視部７０５は、チェックリスト５０１が所定の条件を満たすか否かを監視するように構成されている。そして、表示制御部７０３は、チェックリスト５０１が所定の条件を満たす場合に、満たされた条件に応じたメッセージを映像表示パネル１０２に表示するように構成されている。たとえば、表示制御部７０３は、関連番組リスト４０１に含まれる複数の番組の全てが視聴済である場合に、関連番組リスト４０１に関するメッセージを含む図９に示すような画面９０２を映像表示パネル１０２に表示するように構成されている。図９に示した画面９０２には、一例として、上記図７および図８に示した関連番組リスト４０１のうちの「あべちゃん」という名前のリストに登録された番組が全て視聴されたことをユーザに通知する旨のメッセージが表示されている。このように、上記の条件としては、たとえば、関連番組リスト４０１に登録されたシリーズ物の番組の全てが視聴済になったか否かという条件が考えられるが、これに限られるものではない。
【００４２】
また、実施形態では、表示制御部７０３は、放送番組の一覧を示す放送番組表を映像表示パネル１０２に表示することが可能なように構成されている。ここで、表示制御部７０３は、関連番組リスト４０１に登録された関連番組であって、かつ、未視聴の番組が放送番組表の中に存在する場合に、たとえば図１０に示すように、放送番組表を、未視聴の番組を識別可能な表示態様で映像表示パネル１０２に表示することが可能なように構成されている。
【００４３】
次に、図１１を参照して、実施形態によるテレビジョン装置１００に関連番組リスト４０１およびチェックリスト５０１が表示される際における番組推薦システム１０００全体の処理フローの一例について説明する。
【００４４】
この処理フローでは、まず、図１１に示すように、ステップＳ１において、テレビジョン装置１００は、ユーザの操作情報を履歴収集サーバ３００に送信するとともに、ステップＳ２において、タブレット２００は、ユーザの操作情報を履歴収集サーバ３００に送信する。なお、ステップＳ１およびＳ２の処理が行われるタイミングは、上記と逆の順番であってもよいし、同時であってもよい。
【００４５】
そして、ステップＳ３において、履歴収集サーバ３００は、テレビジョン装置１００やタブレット２００から受信した操作情報と、自身が保持する番組情報ＤＢ３０２とに基づいて、テレビジョン装置１００やタブレット２００のユーザが実際に視聴・再生を行った視聴済の番組を特定する。
【００４６】
そして、ステップＳ４において、視聴履歴管理サーバ５００は、履歴収集サーバ３００に対して視聴済の番組のリストの送信を要求するとともに、ステップＳ５において、関連番組リスト管理サーバ４００に対して関連番組リスト４０１の送信を要求する。なお、ステップＳ４およびＳ５の処理は、たとえばユーザがマイページ画面（図６参照）においてボタン８０１を押下する操作を行って、おすすめ情報表示アプリを起動した場合などに行われる。また、ステップＳ４およびＳ５の処理のタイミングは、上記と逆の順番であってもよいし、同時であってもよい。
【００４７】
そして、ステップＳ６において、履歴収集サーバ３００は、視聴済の番組のリストを視聴履歴管理サーバ５００に送信するとともに、ステップＳ７において、関連番組リスト管理サーバ４００は、関連番組リスト４０１を視聴履歴管理サーバ５００に送信する。なお、ステップＳ６の処理のタイミングは、ステップＳ４の処理のタイミングの後であれば、ステップＳ５の処理のタイミングの前であってもよいし、ステップＳ７の処理のタイミングの後であってもよい。同様に、ステップＳ７の処理のタイミングは、ステップＳ５の処理のタイミングの後であれば、ステップＳ４およびＳ６の処理のタイミングの前であってもよい。
【００４８】
そして、ステップＳ８において、視聴履歴管理サーバ５００は、履歴収集サーバ３００から取得した視聴済の番組のリストと、関連番組リスト管理サーバ４００から取得した関連番組リスト４０１とを照合することにより、チェックリスト５０１を作成する。
【００４９】
そして、ステップＳ９において、視聴履歴管理サーバ５００からテレビジョン装置１００にチェックリスト５０１が送信される。そして、ステップＳ１０において、テレビジョン装置１００は、視聴履歴管理サーバ５００から受信したチェックリスト５０１を、関連番組リスト４０１とともに映像表示パネル１０２に表示する（たとえば図７参照）。
【００５０】
次に、図１２を参照して、実施形態によるテレビジョン装置１００におすすめ情報が表示される際におけるテレビジョン装置１００の処理フローの一例について説明する。
【００５１】
この処理フローでは、図１２に示すように、まず、ステップＳ１１において、検索部７０４は、未視聴番組に関するおすすめ情報を検索する。そして、ステップＳ１２に進む。
【００５２】
次に、ステップＳ１２において、表示制御部７０３は、ステップＳ１１における検索結果をおすすめ情報として映像表示パネル１０２に表示する（たとえば図８参照）。そして、処理が戻る。
【００５３】
次に、図１３を参照して、実施形態によるテレビジョン装置１００にチェックリスト５０１が所定の条件を満たす旨のメッセージが表示される際におけるテレビジョン装置１００の処理フローの一例について説明する。
【００５４】
この処理フローでは、図１３に示すように、まず、ステップＳ２１において、監視部７０５は、チェックリスト５０１が所定の条件を満たしているか否かを判断する。この処理は、チェックリスト５０１が所定の条件を満たしていると判断されるまで繰り返される。そして、ステップＳ２１において、チェックリスト５０１が所定の条件を満たしていると監視部７０５が判断した場合には、ステップＳ２２に進む。
【００５５】
次に、ステップＳ２２において、表示制御部７０３は、満たされた条件に応じたメッセージを映像表示パネル１０２に表示する（たとえば図９参照）。そして、処理が戻る。
【００５６】
以上説明したように、実施形態では、取得部７０２は、視聴履歴管理サーバ５００からチェックリスト５０１を取得する。チェックリスト５０１は、関連番組リスト４０１に登録された互いに関連する複数の関連番組の各々が視聴済の番組であるかまたは未視聴の番組であるかの一覧を示すものである。そして、表示制御部７０３は、チェックリスト５０１を関連番組リスト４０１とともに映像表示パネル１０２に表示する（たとえば、図７参照）。これにより、映像表示パネル１０２に関連番組リスト４０１とチェックリスト５０１とが同時に表示されるので、複数の関連番組の各々が視聴済の番組であるかまたは未視聴の番組であるかを一見して確認することができる。
【００５７】
また、実施形態では、検索部７０４は、未視聴の番組に関するおすすめ情報（第１の情報）を検索し、表示制御部７０３は、おすすめ情報を関連番組リスト４０１およびチェックリスト５０１とともに映像表示パネル１０２に表示する（たとえば、図８参照）。これにより、関連番組リスト４０１に登録された未視聴の番組に関するおすすめ情報（たとえば今後の放送予定や視聴方法など）を一見して確認することができる。
【００５８】
また、実施形態では、表示制御部７０３は、視聴済の番組がどのような視聴形態で視聴されたかを示す情報（第２の情報）を、関連番組リスト４０１およびチェックリスト５０１とともに映像表示パネル１０２に表示する（たとえば、図７および図８参照）。これにより、関連番組リスト４０１に登録された視聴済の番組がどのような視聴形態で視聴されたかを一見して確認することができる。
【００５９】
また、実施形態では、監視部７０５は、チェックリスト５０１が所定の条件を満たすか否かを監視し、表示制御部７０３は、チェックリスト５０１が所定の条件を満たす場合に、その条件に応じたメッセージを映像表示パネル１０２に表示する（たとえば、図９参照）。これにより、たとえば関連番組リスト４０１に登録されたシリーズ物の番組の全てが視聴済になったことなど、チェックリスト５０１が所定の条件を満たしたことを容易にユーザに通知することができる。
【００６０】
また、実施形態では、表示制御部７０３は、未視聴の番組が放送番組表の中に存在する場合に、放送番組表を、未視聴の番組を識別可能な表示態様で映像表示パネル１０２に表示する（たとえば、図１０参照）。これにより、放送番組表の中に未視聴の番組が存在するか否かを一見して確認することができる。
【００６１】
なお、実施形態によるテレビジョン装置１００の制御部１２７により実行される表示制御プログラムは、メモリ１３１のＲＯＭなどに格納されている。この表示制御プログラムは、インストール可能な形式または実行可能な形式で、ＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）などの、コンピュータで読み取り可能な記録媒体に記録されたコンピュータプログラムプロダクトとして提供される。また、表示制御プログラムは、インターネットなどのネットワークに接続されたコンピュータ上に格納されたコンピュータプログラムプロダクトとして、ネットワーク経由で提供または配布されてもよい。また、表示制御プログラムは、ＲＯＭなどに予め組み込まれたコンピュータプログラムプロダクトとして提供されてもよい。
【００６２】
また、実施形態による表示制御プログラムは、上述した各部（入力制御部７０１、取得部７０２、表示制御部７０３、検索部７０４および監視部７０５）を含むモジュール構成となっている。実際のハードウェアとしては、制御部１２７のＣＰＵがメモリ１３１のＲＯＭなどから表示制御プログラムを読み出して実行することにより、上述した各部がメモリ１３１のＲＡＭなどにロードされる結果、上述した各部がメモリ１３１上に生成されるようになっている。
【００６３】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。すなわち、上記実施形態およびその変形例は、発明の範囲や要旨に含まれるとともに、特許請求の範囲に記載された発明とその均等の範囲に含まれる。
【符号の説明】
【００６４】
１００  テレビジョン装置（電子機器）
１０２  映像表示パネル（ディスプレイ）
４０１  関連番組リスト（第１リスト）
５００  視聴履歴管理サーバ
５０１  チェックリスト
７０２  取得部（プロセッサ）
７０３  表示制御部
７０４  検索部
７０５  監視部
【図１】
2015115703.tif 000003
【図２】
2015115703.tif 000004
【図３】
2015115703.tif 000005
【図４】
2015115703.tif 000006
【図５】
2015115703.tif 000007
【図６】
2015115703.tif 000008
【図７】
2015115703.tif 000009
【図８】
2015115703.tif 000010
【図９】
2015115703.tif 000011
【図１０】
2015115703.tif 000012
【図１１】
2015115703.tif 000013
【図１２】
2015115703.tif 000014
【図１３】
2015115703.tif 000015